(57)【特許請求の範囲】
【請求項１】
建物の躯体の内部空間に建築される電波暗室の天井装置であって、建物の躯体側に配置される電磁遮蔽天井と、電磁遮蔽天井から室内側に離れて配置される仕上天井とを備え、電磁遮蔽天井は複数の石膏ボードが上下に重ね合せられかつ上側の石膏ボードと下側の石膏ボードとが縦横にずらして配置された構造であり、電磁遮蔽天井における各石膏ボードは導電性縁取りが方形板状の石膏層の４つの周縁部を取り囲むとともに当該４つの周縁部における石膏層の端面および表裏面を被覆しかつ石膏層に埋設された導電性メッシュに接続された構造であり、電磁遮蔽天井の複数の石膏ボード同士の導電性縁取りの石膏層の端面を被覆する部分が互いに突き合せられた突合せラインには建物の躯体側と仕上天井の側とに貫通する貫通孔が設けられ、導電性の有る開口部材の中央貫通孔を囲む導電性の有る周壁が上記電磁遮蔽天井の貫通孔に挿入されかつ周壁の上部から直径方向外側に突出した導電性の有る上側ブラケットと周壁の下部から直径方向外側に突出した導電性の有る下側ブラケットとが電磁遮蔽天井の貫通孔の周りを挟み付けて、開口部材が電磁遮蔽天井に取付けられたことによって、上側ブラケットまたは下側ブラケットが電磁遮蔽天井の突合せラインにおける導電性縁取りの表面または裏面を被覆する部分に接続されたことを特徴とする電波暗室の天井装置。
【請求項２】
開口部材は可撓性を有する電線支持部が周壁から内側に内側孔を囲むように突設されかつ内側孔から周壁の側に切り込まれたスリットが電線支持部に設けられた構造であることを特徴とする請求項１に記載の電波暗室の天井装置。  
【発明の詳細な説明】
【０００１】
【発明の属する技術分野】
本発明は、建物の外部より内部への電磁波の進入を防止したり、建物の内部より外部への電磁波の漏洩を防止する電波暗室の天井装置に関する。
【０００２】
【従来の技術】
携帯電話の普及、インテリジェントビルや病院内におけるＬＡＮ通信システムの普及等高度情報化社会の到来に伴い、電磁波による生活環境の悪化が問題になってきている。例えば、特公平３−６２３２０号公報には、同一形状の２枚の板を縦横にそれぞれ所定寸法ずらして貼り合せ、それらの貼り合せ面を導電性フィルムにより形成し、建物の外部より内部への電磁波の進入を防止したり、建物の内部より外部への電磁波の漏洩を防止する、天井や床等の内装建材が開示されている。
【０００３】
【発明が解決しようとする課題】
しかし、前記従来の内装建材では２枚の板が導電性フィルムを挟んで貼り合せられた構造であるので、これを天井に用いた場合、天井には照明器具や空調設備等の生活必需品を取付けるための開口部材が形成される。このため、係る開口部材より電磁波が進入したり漏れたりする可能性がある。
【０００４】
そこで、本発明は電磁遮蔽性の高い電波暗室の天井装置を提供しようとするものである。
【０００５】
【課題を解決するための手段】
請求項１の発明に係る電波暗室の天井装置は、建物の躯体の内部空間に建築される電波暗室の天井装置であって、建物の躯体側に配置される電磁遮蔽天井と、電磁遮蔽天井から室内側に離れて配置される仕上天井とを備え、電磁遮蔽天井は複数の石膏ボードが上下に重ね合せられかつ上側の石膏ボードと下側の石膏ボードとが縦横にずらして配置された構造であり、電磁遮蔽天井における各石膏ボードは導電性縁取りが方形板状の石膏層の４つの周縁部を取り囲むとともに当該４つの周縁部における石膏層の端面および表裏面を被覆しかつ石膏層に埋設された導電性メッシュに接続された構造であり、電磁遮蔽天井の複数の石膏ボード同士の導電性縁取りの石膏層の端面を被覆する部分が互いに突き合せられた突合せラインには建物の躯体側と仕上天井の側とに貫通する貫通孔が設けられ、導電性の有る開口部材の中央貫通孔を囲む導電性の有る周壁が上記電磁遮蔽天井の貫通孔に挿入されかつ周壁の上部から直径方向外側に突出した導電性の有る上側ブラケットと周壁の下部から直径方向外側に突出した導電性の有る下側ブラケットとが電磁遮蔽天井の貫通孔の周りを挟み付けて、開口部材が電磁遮蔽天井に取付けられたことによって、上側ブラケットまたは下側ブラケットが電磁遮蔽天井の突合せラインにおける導電性縁取りの表面または裏面を被覆する部分に接続されたことを特徴としている。開口部材は可撓性を有する電線支持部が周壁から内側に内側孔を囲むように突設されかつ内側孔から周壁の側に切り込まれたスリットが電線支持部に設けられた構造であってもよい。
【０００６】
【発明の実施の形態】
図１〜図２は本発明の第１実施形態であって、図１は電波暗室を縦方向に切断した断面を示し、図２のａ図は石膏ボード４の平面を示し、図２のｂ図は図２のａ図をＣ−Ｃ線に沿い切断した断面を示し、図３は図１の矢印Ａ方向より見た電磁遮蔽天井２を示し、図４は図１の矢印Ｂ方向より見た電磁遮蔽天井２を示し、図５は図３のＤ−Ｄ線に沿い切断した断面に相当する電磁遮蔽天井２の接続構造を示し、図６は図４のＥ−Ｅ線に沿い切断した断面に相当する電磁遮蔽天井２の接続構造を示し、図７は開口部材１６の平面を示し、図８は図７のＦ−Ｆ線に沿い切断した断面を示し、図９は図１の矢印Ｇの部分における電磁遮蔽天井２と電磁遮蔽側壁１３との接合構造を示す。
【０００７】
図１を参照し、電波暗室について説明する。電波暗室は、導電性を有する内装材を用いて、建物の鉄筋コンクリートよりなる躯体１の内部空間に、建物の外部より内部への電磁波の進入を防止したり、建物の内部より外部への電磁波の漏洩を防止するように、建築される。電波暗室の天井装置は、電磁遮蔽天井２と通常の仕上天井３とよりなる２重構造であって、躯体１の上階スラブ１ａに対し吊天井又は自立天井を構成している。この実施形態の場合、電磁遮蔽天井２は、電磁遮蔽材料を内包した複数の石膏ボード４を上下に重ね合せ、上側の石膏ボード４と下側の石膏ボード４とを縦横にずらして配置したことにより、上側の石膏ボード群を構成する複数の石膏ボード４同士の突合わせ部分と下側の石膏ボード群を構成する複数の石膏ボード４同士の突合わせ部分とが上下で同一位置にならない形態であって、躯体１の上階スラブ１ａに吊ボルト５や角パイプ６により上階スラブ１ａと所定間隔を以って支持されている。仕上天井３は、電磁遮蔽天井２より吊天井として設けられるか、又は、電磁遮蔽天井２より室内側に設けた図外の梁に取付けられることにより、電磁遮蔽天井２より所定間隔を以って室内側に配置されている。
【０００８】
仕上天井３には警報器７や照明器具８及び空調設備１０が電磁遮蔽天井２と仕上天井３との隙間を利用して取付けられている。警報器７の電線７ａや照明器具８の電線８ａは電磁遮蔽天井２を貫通して配線されている。照明器具７の開口部周縁や空調設備１０の吹出口や吸込口等の開口部周縁は仕上天井２に形成された開口部周縁との間に導電性スぺーサー１１，１２が挟み込まれている。電波暗室の導電性を有する電磁遮蔽側壁１３に配置されたコンセント１４の電線１４ａは躯体１の側部スラブ１ｂと電磁遮蔽側壁１３との隙間より電磁遮蔽天井２を貫通して上部スラブ１ａと電磁遮蔽天井２との隙間に配線されている。電波暗室の導電性を有する電磁遮蔽床１５は躯体１の下部スラブ１ｃに敷設されている。
【０００９】
図２を参照し、電磁遮蔽天井２に用いられる石膏ボード４について説明する。石膏ボード４は、繊維状又は粒状の導電性材料４ａを混入してなる石膏層４ｂが導電性メッシュ４ｃを埋設し、石膏層４ｂの表裏面がボード用紙４ｄで被覆され、石膏ボード４の周縁部が接続部材としての金属テープ或いは導電性フィルム等の導電性縁取り４ｅで被覆されている。導電性メッシュ４ｃと導電性縁取り４ｅとは互いに接続している。これにより、石膏ボード４は軽量かつ不燃性で電磁遮蔽性の高い内装建材を形成している。
【００１０】
図３及び図４を参照し、電磁遮蔽天井２の構造について説明する。電磁遮蔽天井２における上側の石膏ボード４と下側の石膏ボード４とが縦横にずらして配置され、上側の石膏ボード４の導電性縁取り４ｅ同士が互いに突合され、下側の石膏ボード４の導電性縁取り４ｅ同士が互いに突合されている。図３において、実線Ｌ１は上側の石膏ボード４相互の突合せラインであり、図３の点線Ｌ２は下側の石膏ボード４相互の突合わせラインである。図４において、実線Ｌ３は下側の石膏ボード４相互の突合わせラインであり、点線Ｌ４は上側の石膏ボード４相互の突合せラインである。そして、電磁遮蔽天井２には図１の電線７ａ，８ａを引き通すための導電性の有る開口部材１６が上側の石膏ボード４同士の接続部に位置して設けられている。
【００１１】
図５を参照し、電磁遮蔽天井２における上側の石膏ボード４相互の接続構造について説明する。上側の石膏ボード４の突合わせ部分には導電性を有する接続部材としての接続金具１７，１８が重ね合されている。接続金具１７，１８は図３に示す突合わせラインＬ１に沿って延びる帯状に形成されており、縦方向の接続金具１７と横方向の接続金具１８とが重なる部分では一方の接続金具１８が他方の接続金具１７を乗り越えている。そして、下側の石膏ボード４が上側の石膏ボード４に重ね合せられる前の状態において、一方の接続金具１７が上部スラブ１ａに吊ボルト５を介して設置された角パイプ６に重ね合され、上側の石膏ボード４の下方よりタッピングねじのような金属ねじ１９が上側の石膏ボード４の導電性縁取り４ｅと上側の石膏層４ｂと接続金具１７，１８を経由して角パイプ６に締結されたことにより、上側の石膏ボード４相互が金属ねじ１９と導電性縁取り４ｅと接続金具１７，１８とにより接続されている。
【００１２】
図６を参照し、電磁遮蔽天井２における下側の石膏ボード４相互の接続構造について説明する。下側の石膏ボード４の突合わせ部分には導電性を有する接続金具２０，２１が重ね合されている。接続金具２０，２１は図４に示す突合わせラインＬ３に沿って延びる帯状に形成されており、縦方向の接続金具２０と横方向の接続金具２１とが重なる部分では一方の接続金具２０が他方の接続金具２１を乗り越えている。そして、上側の石膏ボード４が前記のように設置された状態において、下側の石膏ボード４の下方よりタッピングねじのような金属ねじ２３が下側の石膏ボード４の導電性縁取り４ｅと石膏層４ｂと接続金具２０，２１を経由して上側の石膏ボード４に締結されたことにより、下側の石膏ボード４相互が金属ねじ２３と導電性縁取り４ｅと接続金具２０，２１とにより接続されている。
【００１３】
図７及び図８を参照し、開口部材１６について説明する。開口部材１６は全体として導電性材料より形成されており、中央貫通孔１６ａより内側に導電性ゴムのような可撓性を有する電線支持部１６ｂを突設している。電線支持部１６ｂには複数のスリット１６ｃが内側孔１６ｄと中央貫通孔１６ａとの間において切り込まれており、開口部材１６はそれに通す電線７ａ，８ａのサイズが内側孔１６ｄよりも太い場合にも対応できる。中央貫通孔１６ａを形成する周壁１６ｅには上側ブラケット１６ｆと下側ブラケット１６ｇとが外側に突設されている。そして、開口部材１６の周壁１６ｅが電磁遮蔽天井２に形成された貫通孔２ａに挿入配置され、上側ブラケット１６ｆと下側ブラケット１６ｇとが電磁遮蔽天井２の貫通孔２ａ周りを挟み付けることにより、開口部材１６が電磁遮蔽天井２に取付けられ、上側ブラケット１６ｆが電磁遮蔽天井２における上側の石膏ボード４同士にわたり配置された接続金具１８に接続している。開口部材１６のスリット１６ｃ及び内側孔１６ｄは、電線７ａ，８ａが通された後に中央貫通孔１６ａに充填される導電性パテにより埋め戻される。
【００１４】
図９を参照し、電磁遮蔽天井２と電磁遮蔽側壁１３との接合構造について説明する。この接合構造では、壁立上がり方向及び水平方向に接続部材としての接続金具２４，２５を有し、電磁遮蔽側壁１３には図２に示すようにコンセント１４が設けられることから、電磁遮蔽天井２と同様に、外側の石膏ボード４と内側の石膏ボード４とが縦横にずらして配置され、外側の石膏ボード４の導電性縁取り４ｅ同士が互いに突合され、内側の石膏ボード４の導電性縁取り４ｅ同士が互いに突合され、外側の石膏ボード群における複数の石膏ボード４が接続され、内側の石膏ボード群における複数の石膏ボード４が接続されている。
【００１５】
上部スラブ１ａに吊ボルト５を介して設置された角パイプ６及び梁としての軽量鉄骨製の横梁２６に重ね合された外側の接続金具２４の水平部分には、電磁遮蔽天井２における上側の石膏ボード４の下方よりタッピングねじのような金属ねじ１９が上側の石膏ボード４の導電性縁取り４ｅと上側の石膏層４ｂと接続金具２４を経由して角パイプ６に締結されたことにより、電磁遮蔽天井２の上側の石膏ボード４相互を金属ねじ１９と導電性縁取り４ｅと接続金具２４とにより接続されている。又、外側の接続金具２４の壁立上がり部分には、電磁遮蔽側壁１３における外側の石膏ボード４の内側よりタッピングねじのような金属ねじ２７が外側の石膏ボード４の導電性縁取り４ｅと石膏層４ｂと接続金具２４を経由して横梁２６に締結されたことにより、電磁遮蔽側壁１３の外側の石膏ボード４相互を金属ねじ２７と導電性縁取り４ｅと接続金具２４とにより接続されている。
【００１６】
そして、電磁遮蔽天井２の上側の石膏ボード４及び電磁遮蔽側壁１３の外側の石膏ボード４が前記のように設置された状態において、電磁遮蔽天井２の下側の石膏ボード４及び電磁遮蔽側壁１３の内側の石膏ボード４がタッピングねじのような金属ねじ２３，２８により下側及び内側の石膏ボード４の導電性縁取り４ｅと石膏層４ｂと内側の接続金具２５を経由して上側及び外側の石膏ボード４に締結されたことにより、下側及び内側の石膏ボード４相互が金属ねじ２３，２８と導電性縁取り４ｅと接続金具２５とにより接続されている。図９中の符号３０は電磁遮蔽側壁１３を裏側より支える軽量鉄骨製の縦梁である。尚、図１の右側の電磁遮蔽側壁１３のように開口部が形成されない場合、電磁遮蔽側壁１３は図２の石膏ボード４の１層構造でも良い。
【００１７】
この実施形態の構造によれば、電磁遮蔽天井２の電磁遮蔽材料を内包した上下に重ね合された複数の石膏ボード４が縦横にずらして配置され、上側の石膏ボード４の導電性縁取り４ｅ同士が互いに接続され、下側の石膏ボード４の導電性接続部材としての導電性縁取り４ｅ同士が互いに接続されたことにより、電磁遮蔽天井２が全体的に隙間の無い状態で導電性を有するので、軽量かつ不燃性で良好な電磁遮蔽性を発揮できる。
【００１８】
天井装置が電磁遮蔽天井２と仕上天井３とよりなる２重構造であり、仕上天井３には警報器７や照明器具８又は空調設備１０を取付け、警報器７の電線７ａや照明器具８の電線８ａが電磁遮蔽天井２における石膏ボード４同士の接続部に位置された導電性の開口部材１６を用いて配線されたので、仕上天井３による通常の部屋の天井のような見栄えと、電磁遮蔽天井２による電磁遮蔽性との両立を図ることができる。
【００１９】
尚、前記実施形態では電磁遮蔽天井２や電磁遮蔽側壁１３又は電磁遮蔽床１５それぞれが接続されたことにより、躯体１の内部に電波暗室が構成されたので、電磁遮蔽天井２や電磁遮蔽側壁１３又は電磁遮蔽床１５の何れかより図外のアース線を躯体１を構築した施工地面に埋設して設置を取ることは勿論である。
【００２０】
又、躯体１が鉄筋コンクリートの場合、吊ボルト５が躯体１の内部の鉄筋と接続すると、係る鉄筋より電波漏れや電波進入を起すので、吊ボルト５の角パイプ６との連結部分において、合成樹脂や木材等で電気絶縁を取れば、電波暗室としての電磁波遮蔽が良好になる。
【００２２】
【発明の効果】
以上のように本発明によれば、電磁遮蔽天井における各石膏ボードは導電性縁取りが方形板状の石膏層の４つの周縁部を取り囲むとともに当該４つの周縁部における石膏層の端面および表裏面を被覆しかつ石膏層に埋設された導電性メッシュに接続された構造であり、電磁遮蔽天井の複数の石膏ボード同士の導電性縁取りの石膏層の端面を被覆する部分が突き合せられた突合せラインには建物の躯体側と仕上天井の側とに貫通する貫通孔が設けられ、導電性の有る開口部材の中央貫通孔を囲む導電性の有る周壁が上記電磁遮蔽天井の貫通孔に挿入されかつ周壁の上部から直径方向外側に突出した導電性の有る上側ブラケットと周壁の下部から直径方向外側に突出した導電性の有る下側ブラケットとが電磁遮蔽天井の貫通孔の周りを挟み付けて、開口部材が電磁遮蔽天井に取付けられたことによって、上側ブラケットまたは下側ブラケットが電磁遮蔽天井の突合せラインにおける導電性縁取りの表面または裏面を被覆する部分に接続されたので、仕上天井に取付けられた器具に対する電線を上記電磁遮蔽天井に設けられた開口部材の貫通孔を経由して電磁遮蔽天井における建物の躯体側と仕上天井との側に配線することができる。  
【図面の簡単な説明】
【図１】  本発明の一実施形態の電波暗室を示す断面図。
【図２】  同実施形態の石膏ボードを示し、ａ図は平面図、ｂ図はａ図のＣ−Ｃ線断面図。
【図３】  図１の矢印Ａ方向より見た電磁遮蔽天井を示す平面図。
【図４】  図１の矢印Ｂ方向より見た電磁遮蔽天井を示す平面図。
【図５】  図３のＤ−Ｄ線断面に相当する断面図。
【図６】  図４のＥ−Ｅ線断面に相当する断面図。
【図７】  同実施形態の開口部材を示す平面図。
【図８】  図７のＦ−Ｆ線断面図。
【図９】  図１の矢印Ｇの部分の拡大断面図
【符号の説明】
１  躯体
２  電磁遮蔽天井
３  仕上天井
４  石膏ボード
４ａ  導電性材料
４ｂ  石膏層
４ｃ  導電性メッシュ
４ｅ  導電性縁取り
４ｄ  ボード用紙
【図１】
0004063983.tif 000002
【図２】
0004063983.tif 000003
【図３】
0004063983.tif 000004
【図４】
0004063983.tif 000005
【図５】
0004063983.tif 000006
【図６】
0004063983.tif 000007
【図７】
0004063983.tif 000008
【図８】
0004063983.tif 000009
【図９】
0004063983.tif 000010